(57)【要約】【課題】モータ負荷を確実にロックすることができ、且つ、電力損失を低減させることが可能な車両用電力制御装置を提供する。【解決手段】モータ負荷Ｌ１と電源との間、或いはモータ負荷Ｌ１とグランドとの間に設けられたＭＯＳ−ＦＥＴ１１と、モータ負荷Ｌ１の２端子間に配設され、ＭＯＳ−ＦＥＴ１１のオフ時にオンとなって、モータ負荷の両端を短絡するＭＯＳ−ＦＥＴ１２と、モータ負荷Ｌ１の２端子間に配設され、電源が逆接続された際に、逆電流の発生を防止するＭＯＳ−ＦＥＴ１３と、入力信号に応じて、各ＭＯＳ−ＦＥＴ１１、１２、１３のオン、オフを制御するゲート制御回路２と、を具備したことを特徴とする。【選択図】      図１
2004148869.tif 000002
【特許請求の範囲】
【請求項１】
車両に搭載された誘導性負荷を駆動する車両用電力制御装置において、
前記誘導性負荷のオン、オフを切り換える第１の電界効果トランジスタと、
前記第１の電界効果トランジスタのオフ時にオンとなって、前記誘導性負荷が有する２つの端子間を短絡する第２の電界効果トランジスタと、
電源電圧を逆接続した際に、逆電流の発生を防止する第３の電界効果トランジスタと、
を具備したことを特徴とする車両用電力制御装置。
【請求項２】
車両に搭載された誘導性負荷を駆動する車両用電力制御装置において、
誘導性負荷と電源との間、或いは誘導性負荷とグランドとの間に設けられた第１の電界効果トランジスタと、
前記誘導性負荷の２端子間に配設され、前記第１の電界効果トランジスタのオフ時にオンとなって、前記誘導性負荷の両端を短絡する第２の電界効果トランジスタと、
前記誘導性負荷の２端子間に配設され、前記電源が逆接続された際に、逆電流の発生を防止する第３の電界効果トランジスタと、
入力信号に応じて、前記第１の電界効果トランジスタ、第２の電界効果トランジスタ、及び第３の電界効果トランジスタのオン、オフを制御する制御手段と、
を具備したことを特徴とする車両用電力制御装置。
【請求項３】
前記第３の電界効果トランジスタは、電圧逆接続時にオフとなり、且つ、寄生ダイオードを順方向に向けることにより、逆電流の発生を阻止することを特徴とする請求項１または請求項２のいずれかに記載の車両用電力制御装置。
【請求項４】
前記誘導性負荷は、車両に搭載されるトランクオープナ用モータであることを特徴とする請求項１〜請求項３のいずれか１項に記載の車両用電力制御装置。
【発明の詳細な説明】
【０００１】
【発明の属する技術分野】
本発明は、車両に搭載されるトランクオープナ用モータ等の誘導性負荷の駆動を制御する車両用電力制御装置に関する。
【０００２】
【従来の技術】
例えば、車両に搭載されるトランクは、トランクオープナ用モータにより、施錠、解錠が行われる。このような、トランクオープナ用モータ等の誘導性負荷を制御する装置として、従来より、特開平１１−３０８７８０号公報（以下、特許文献１という）に記載されたものが知られている。
【０００３】
図８は、該特許文献１に記載された制御装置を示す説明図であり、該制御装置は、モータ負荷１０１のオン、オフを切り換えるＭＯＳ−ＦＥＴ１０２と、逆電流防止用のトランジスタ１０３とを備えている。従って、たとえバッテリ電源１０４の電極を誤って接続し、プラスとマイナスが反転した場合でも、短絡事故の発生を回避し、負荷及び接続回路の損傷を防止することができる。
【０００４】
【特許文献１】
特開平１１−３０８７８０号公報（図１）
【０００５】
【発明が解決しようとする課題】
しかしながら、上述した特許文献１に記載された制御装置では、モータ負荷１０１停止時に、当該モータ負荷が確実にロックされていない。従って、トランクオープナ用モータの場合には、振動等の外部入力によりモータに回転動力が加えられると、意図せずにトランクのロックが解錠されてしまうという欠点がある。
【０００６】
また、ＰＮＰ型のトランジスタ１０３のコレクタ、ベース間が順バイアスされているので、常時もれ電流が発生してしまうという問題がある。これを解決するためには、抵抗１０５を大きな値に設定する必要があり、このような場合には、モータ負荷１０１のコイルに蓄積されたエネルギーを放出する動作のときに、トランジスタ１０３に十分なベース電流が流れないので、能動領域動作となる。その結果、動力損失が大きくなるという問題が発生する。
【０００７】
また、モータ負荷１０１のコイルに蓄積されたエネルギーを放出する動作のときに、電流がダイオード１０６を流れるので、該ダイオード１０６の順方向電圧分の損失が発生してしまう。
【０００８】
この発明は、このような従来の課題を解決するためになされたものであり、その目的とするところは、誘導性負荷を確実にロックすることができ、且つ、電力損失を低減させることが可能な車両用電力制御装置を提供することにある。
【０００９】
【課題を解決するための手段】
上記目的を達成するため、本願請求項１に記載の発明は、車両に搭載された誘導性負荷を駆動する車両用電力制御装置において、前記誘導性負荷のオン、オフを切り換える第１の電界効果トランジスタと、前記第１の電界効果トランジスタのオフ時にオンとなって、前記誘導性負荷が有する２つの端子間を短絡する第２の電界効果トランジスタと、電源電圧を逆接続した際に、逆電流の発生を防止する第３の電界効果トランジスタと、を具備したことを特徴とする。
【００１０】
請求項２に記載の発明は、車両に搭載された誘導性負荷を駆動する車両用電力制御装置において、誘導性負荷と電源との間、或いは誘導性負荷とグランドとの間に設けられた第１の電界効果トランジスタと、前記誘導性負荷の２端子間に配設され、前記第１の電界効果トランジスタのオフ時にオンとなって、前記誘導性負荷の両端を短絡する第２の電界効果トランジスタと、前記誘導性負荷の２端子間に配設され、前記電源が逆接続された際に、逆電流の発生を防止する第３の電界効果トランジスタと、入力信号に応じて、前記第１の電界効果トランジスタ、第２の電界効果トランジスタ、及び第３の電界効果トランジスタのオン、オフを制御する制御手段と、を具備したことを特徴とする。
【００１１】
請求項３に記載の発明は、前記第３の電界効果トランジスタは、電圧逆接続時にオフとなり、且つ、寄生ダイオードを順方向に向けることにより、逆電流の発生を阻止することを特徴とする。
【００１２】
請求項４に記載の発明は、前記誘導性負荷は、車両に搭載されるトランクオープナ用モータであることを特徴とする。
【００１３】
【発明の実施の形態】
以下、本発明の実施形態を図面に基づいて説明する。図１は、本発明の第１の実施形態に係る車両用電力制御装置の概略構成を示す回路図、図２は、詳細な回路図である。
【００１４】
図１に示すように、該車両用電力制御装置１は、バッテリの電源（１２ボルト）とグランドとの間に配置された、トランクオープナ用モータ等のモータ負荷（誘導性負荷）Ｌ１、及びオン、オフ動作用のＭＯＳ−ＦＥＴ１１（第１の電界効果トランジスタ）を有している。
【００１５】
また、モータ負荷Ｌ１の２つの端子間には、ＭＯＳ−ＦＥＴ１２（第２の電界効果トランジスタ）と、ＭＯＳ−ＦＥＴ１３（第３の電界効果トランジスタ）との直列接続回路が接続されている。
【００１６】
ＭＯＳ−ＦＥＴ１１は、Ｎチャネル型であり、寄生ダイオードＤ１１を具備し、ＭＯＳ−ＦＥＴ１２は、Ｐチャネル型であり、寄生ダイオードＤ１２を具備し、ＭＯＳ−ＦＥＴ１３は、Ｐチャネル型であり、寄生ダイオードＤ１３を具備している。
【００１７】
各ＭＯＳ−ＦＥＴ１１〜１３のゲートは、各ゲートに駆動信号を出力するゲート制御回路（制御手段）２と接続されており、更に、該ゲート制御回路２は、コントローラ３と接続されている。
【００１８】
図２に示すように、ゲート制御回路２は、電源とグランドとの間に配置される抵抗Ｒ２とトランジスタＱ１との直列接続回路を有し、該トランジスタＱ１のベースは、抵抗Ｒ１を介してコントローラ３に接続されている。
【００１９】
また、トランジスタＱ１と抵抗Ｒ２との接続点ｐ１は、ダイオードＤ１を介してＭＯＳ−ＦＥＴ１２のゲートに接続され、該ゲートと電源との間には、ゲート保護用のツェナーダイオードＺＤ２が設けられている。また、ダイオードＤ１に対して並列的に抵抗Ｒ３が設けられている。
【００２０】
更に、接続点ｐ１は、ダイオードＤ２を介してＭＯＳ−ＦＥＴ１１のゲートに接続され、該ゲートとグランドとの間には、ゲート保護用のツェナーダイオードＺＤ１が設けられている。また、ダイオードＤ２に対して並列的に抵抗Ｒ４が設けられている。
【００２１】
また、ＭＯＳ−ＦＥＴ１３のゲートは、抵抗Ｒ５を介してグランドに接続され、且つ、該ゲートとＭＯＳ−ＦＥＴ１３のソース（ＭＯＳ−ＦＥＴ１１のドレイン）との間には、ゲート保護用のツェナーダイオードＺＤ３が設けられている。
【００２２】
なお、各ＭＯＳ−ＦＥＴ１１〜１３のゲート耐圧が十分にある場合には、各ツェナーダイオードＺＤ１〜ＺＤ３を設けなくても良い。
【００２３】
次に、上述の如く構成された第１の実施形態に係る車両用電力制御装置１の動作について説明する。
【００２４】
図２において、モータ負荷Ｌ１を駆動させるためのスイッチ（図示省略）をオンとすると、コントローラ２より、モータ負荷Ｌ１駆動用の信号が出力される。
【００２５】
駆動用信号がＬレベルのときには、トランジスタＱ１がオフとなり、接続点ｐ１が所定レベルの電圧値となる。よって、ＭＯＳ−ＦＥＴ１１のゲート電圧ＶＧ１が所定のレベルに達し、且つ、ソース電圧は略０ボルトであるので、ゲート・ソース間電圧Ｖｇｓ１が所定のレベルに達し、該ＭＯＳ−ＦＥＴ１１はオンとなる。
【００２６】
また、ＭＯＳ−ＦＥＴ１２のゲート電圧ＶＧ２が所定のレベルに達し、且つ、ソース電圧は１２ボルトであるので、ゲート・ソース間電圧Ｖｇｓ２は所定レベルに到達せず、該ＭＯＳ−ＦＥＴ１２はオフとなる。従って、電源、モータ負荷Ｌ１、ＭＯＳ−ＦＥＴ１１、グランドのルートで負荷電流ＩＬが流れ、モータ負荷Ｌ１は駆動する。
【００２７】
次いで、駆動用信号がＨレベルとなると、トランジスタＱ１がオンとなり、接続点ｐ１がグランドレベルとなるので、ＭＯＳ−ＦＥＴ１１のゲート電圧ＶＧ１は、略０ボルトとなる。よって、該ＭＯＳ−ＦＥＴ１１のゲート・ソース間電圧Ｖｇｓ１もやはり略０ボルトとなり、ＭＯＳ−ＦＥＴ１１はオフとなる。
【００２８】
このとき、ＭＯＳ−ＦＥＴ１２のゲート電圧ＶＧ２は略０ボルトで、ソース電圧は１２ボルトであるので、ゲート・ソース間電圧Ｖｇｓ２は、略−１２ボルトとなり、ＭＯＳ−ＦＥＴ１２はオンとなる。また、ＭＯＳ−ＦＥＴ１３のゲート電圧ＶＧ３は、常時０ボルトであるので、ソース電圧（即ち、電圧ＶＯＵＴ）が１２ボルトのときには、オンとなり、０ボルトのときには、オフとなる。つまり、ＭＯＳ−ＦＥＴ１３は、ＭＯＳ−ＦＥＴ１２と連動してオン、オフ動作することになる。
【００２９】
そして、これによりモータ負荷Ｌ１への電圧供給が停止される。また、ＭＯＳ−ＦＥＴ１２，１３は共にオンとなっているので、モータ負荷Ｌ１に蓄積された電流エネルギーは、ＭＯＳ−ＦＥＴ１３、及びＭＯＳ−ＦＥＴ１２を経由して放出される。
【００３０】
このとき、モータ負荷Ｌ１の両端は、ＭＯＳ−ＦＥＴ１２，１３により短絡状態とされるので、モータ負荷Ｌ１のオフ時には、当該モータ負荷Ｌ１はロックされた状態となる。従って、振動等により、意図せずにトランクオープナが解錠されるというトラブルの発生を防止することができる。
【００３１】
また、操作者が誤って、電源のプラス極とマイナス極とを反対に接続した場合には、ＭＯＳ−ＦＥＴ１１が有する寄生ダイオードＤ１１、及びモータ負荷Ｌ１を経由して、電流が流れる。この際、電圧ＶＯＵＴ（ＭＯＳ−ＦＥＴ１３のソース電圧）は、寄生ダイオードＤ１１により０．７ボルト電圧が下降するので、略１１．３ボルトとなる。
【００３２】
一方、ＭＯＳ−ＦＥＴ１３のゲートには、１２ボルトの電圧が印加されるので、ＭＯＳ−ＦＥＴ１３のゲート・ソース間電圧Ｖｇｓ３は、略０．７ボルトとなり、ＭＯＳ−ＦＥＴ１３はオフ状態となる。このため、ＭＯＳ−ＦＥＴ１１、ＭＯＳ−ＦＥＴ１３、ＭＯＳ−ＦＥＴ１２のルートで貫通電流が流れることはなく、回路は保護される。
【００３３】
次に、上記の動作を、図３に示すタイミングチャートを参照しながら説明する。同図（ａ）は、コントローラ３による出力信号を示し、（ｂ）は、ＶＯＵＴの変化を示し、（ｃ）は、負荷電流ＩＬの変化を示し、（ｄ）は、ＭＯＳ−ＦＥＴ１１に流れる電流を示し、（ｅ）は、ＭＯＳ−ＦＥＴ１２に流れる電流を示している。
【００３４】
そして、同図に示す期間▲１▼では、コントローラ３の出力がＨレベルであり、ＭＯＳ−ＦＥＴ１１はオフ、ＭＯＳ−ＦＥＴ１２，１３は共にオンであるので、モータ負荷Ｌ１の両端は、ＭＯＳ−ＦＥＴ１３，１２により短絡され、ブレーキ動作が行われる。
【００３５】
期間▲２▼では、駆動信号によりコントローラ３の出力信号がＬレベルとなり、ＭＯＳ−ＦＥＴ１２はオフとなり、ＭＯＳ−ＦＥＴ１１はオンとなる。これにより、負荷電流ＩＬが流れる。このとき、電圧ＶＯＵＴは略０ボルトまで低下するので、ＭＯＳ−ＦＥＴ１３はオフとなる。
【００３６】
期間▲３▼では、コントローラ３の出力信号がＨレベルとなるので、ＭＯＳ−ＦＥＴ１１はオフとなり、ＭＯＳ−ＦＥＴ１２はオンとなる。これにより、電圧ＶＯＵＴは略１２ボルトまで上昇し、ＭＯＳ−ＦＥＴ１３はオンとなる。モータ負荷Ｌ１に蓄積された電流エネルギーは、ＭＯＳ−ＦＥＴ１３，１２を経由して放出される。このとき、ＭＯＳ−ＦＥＴ１３，１２共にオン状態であるので、ＭＯＳ−ＦＥＴ１３，１２による損失はそれぞれのオン抵抗分のみとなり、損失を著しく低減することができる。そして、期間▲４▼以降は、上記の動作を繰り返す。
【００３７】
このようにして、本実施形態に係る車両用電力制御装置１では、モータ負荷Ｌ１停止時には、ＭＯＳ−ＦＥＴ１２，１３が共にオンとなり、モータ負荷Ｌ１の両端が短絡されるので、モータ負荷Ｌ１を確実にブレーキ動作させることができる。
【００３８】
また、モータ負荷に蓄積された電流エネルギーを、ＭＯＳ−ＦＥＴ１３，１２を介して放出するので、損失を低減することができる。更に、バッテリ電源の電極を逆接続した場合でも、各ＭＯＳ−ＦＥＴ１１，１３，１２を経由して流れる貫通電流を阻止することができるので、回路の損傷を防止することができる。
【００３９】
更に、ＭＯＳ−ＦＥＴ１２，１３は、互いにドレインが接続されているので、１パッケージに集積化することができ、更には、１個の半導体チップに集積化することが可能である。その結果、装置の小型化を図ることができる。
【００４０】
次に、本発明の第２の実施形態について説明する。図４は、第２の実施形態に係る車両用電力制御装置の概略構成を示す回路図、図５は、詳細な回路図である。
【００４１】
図４に示すように、該車両用電力制御装置２１は、バッテリの電源とグランドとの間に配置された、オン、オフ動作用のＭＯＳ−ＦＥＴ１１（第１の電界効果トランジスタ）、及びトランクオープナ用モータ等のモータ負荷（誘導性負荷）Ｌ１を有している。
【００４２】
また、モータ負荷Ｌ１の２つの端子間には、ＭＯＳ−ＦＥＴ１２（第２の電界効果トランジスタ）と、ＭＯＳ−ＦＥＴ１３（第３の電界効果トランジスタ）との直列接続回路が配置されている。
【００４３】
ＭＯＳ−ＦＥＴ１１は、Ｐチャネル型であり、寄生ダイオードＤ１１を具備し、ＭＯＳ−ＦＥＴ１２は、Ｎチャネル型であり、寄生ダイオードＤ１２を具備し、ＭＯＳ−ＦＥＴ１３は、Ｎチャネル型であり、寄生ダイオードＤ１３を具備している。
【００４４】
そして、本実施形態においては、上述した第１の実施形態とは反対に、コントローラ３よりＨレベルの信号が出力された際には、ＭＯＳ−ＦＥＴ１１がオンとなり、ＭＯＳ−ＦＥＴ１２，１３がオフとなる。他方、コントローラ３よりＬレベルの信号が出力された際には、ＭＯＳ−ＦＥＴ１１がオフとなり、ＭＯＳ−ＦＥＴ１２，１３がオンとなる。
【００４５】
そして、詳しい説明を省略するが、第１の実施形態と同様の動作により、モータ負荷Ｌ１停止時には、該モータ負荷Ｌ１をロックすることができ、且つ、電力損失を低減することができる。また、電源の電極を逆接続した場合でも、回路を保護することができる。
【００４６】
次に、本発明の第３の実施形態について説明する。図６は、第３の実施形態に係る車両用電力制御装置の概略構成を示す回路図、図７は、詳細な回路図である。
【００４７】
図６に示すように、該車両用電力制御装置３１は、バッテリの電源とグランドとの間に配置された、オン、オフ動作用のＭＯＳ−ＦＥＴ１１（第１の電界効果トランジスタ）、及びトランクオープナ用モータ等のモータ負荷（誘導性負荷）Ｌ１を有している。
【００４８】
この実施形態は、前述した第２の実施形態と略同一であるが、ＭＯＳ−ＦＥＴ１１をＮチャネル型とした点が相違している。以下、図７に示すゲート制御回路２について、詳細に説明する。
【００４９】
該ゲート制御回路２は、抵抗Ｒ２とトランジスタＱ１との直列接続回路を有しており、該直列接続回路は、電源とグランドとの間に設けられている。抵抗Ｒ２とトランジスタＱ１との接続点ｐ２は、３系統に分岐されており、１つ目の分岐線は、抵抗Ｒ１０を介してトランジスタＱ２のベースに接続されている。２つ目の分岐線は、抵抗Ｒ８を介してトランジスタＱ３のベースに接続されている。そして、３つ目の分岐線は、ダイオードＤ２と抵抗Ｒ４との並列接続回路を介してＭＯＳ−ＦＥＴ１２のゲートに接続されている。
【００５０】
トランジスタＱ２のエミッタは、ダイオードＤ１及び抵抗Ｒ７を介して電源（１２ボルト）に接続され、且つ、コンデンサＣ１を介してＭＯＳ−ＦＥＴ１１のソース（電圧ＶＯＵＴ）に接続されている。コンデンサＣ１は、ＭＯＳ−ＦＥＴ１１，１２に十分な電圧を供給するために設置されている。
【００５１】
更に、トランジスタＱ２のコレクタは、抵抗Ｒ９，Ｒ６を介してＭＯＳ−ＦＥＴ１１のゲートに接続されている。抵抗Ｒ９と抵抗Ｒ６との接続点は、トランジスタＱ３のコレクタに接続されている。また、該トランジスタＱ３のエミッタはグランドに接続されている。ＭＯＳ−ＦＥＴ１３のゲートは、抵抗Ｒ５を介して電源と接続されている。
【００５２】
また、各ＭＯＳ−ＦＥＴ１１，１２，１３のゲート・ソース間には、それぞれ、ツェナーダイオードＺＤ１，ＺＤ２，ＺＤ３が設けられている。
【００５３】
次に、第３の実施形態に係る車両用電力制御装置３１の動作について説明する。コントローラ３の出力信号がＬレベルのときには、トランジスタＱ１はオフとなり、接続点ｐ２の電圧は所定の電圧レベルとなるので、トランジスタＱ２はオフとなる。よって、ＭＯＳ−ＦＥＴ１１はオフ状態となり、モータ負荷Ｌ１には、負荷電流ＩＬは流れない。
【００５４】
また、ＭＯＳ−ＦＥＴ１２のゲート・ソース間には、所定レベルの電圧が印加されるので、オン状態となり、また、ＭＯＳ−ＦＥＴ１３も同様にオンとなる。従って、モータ負荷Ｌ１の両端が短絡されるので、該モータ負荷Ｌ１をロック状態とすることができる。
【００５５】
そして、コントローラ３の出力信号がＨレベルとなると、トランジスタＱ１がオンとなり、接続点ｐ２の電圧が略０ボルトとなるので、ＭＯＳ−ＦＥＴ１１は、オンとなる。他方、ＭＯＳ−ＦＥＴ１２，１３は、共にオフとなる。従って、電源、ＭＯＳ−ＦＥＴ１１、モータ負荷Ｌ１、グランドのルートで負荷電流ＩＬが流れ、モータ負荷Ｌ１を駆動させることができる。
【００５６】
また、電源の電極を逆接続した場合には、ＭＯＳ−ＦＥＴ１３がオフとなるので、ＭＯＳ−ＦＥＴ１２，１３，１１を経由した貫通電流の発生を防止することができ、回路を保護することができる。
【００５７】
このようにして、第３の実施形態に係る車両用電力制御装置３１についても、前述した第１、第２の実施形態と同様の効果を得ることができる。
【００５８】
以上、本発明の車両用電力制御装置を図示の実施形態に基づいて説明したが、本発明はこれに限定されるものではなく、各部の構成は、同様の機能を有する任意の構成のものに置き換えることができる。
【００５９】
例えば、上記した実施形態では、誘導性負荷として、トランクオープナ用モータを例に挙げたが、本発明はこれに限定されるものではなく、その他の誘導性負荷についても適用することができる。
【００６０】
【発明の効果】
以上説明したように、本発明によれば、第１の電界効果トランジスタをオフとし、誘導性負荷への電圧供給を停止する際には、該誘導性負荷の２つの端子間が短絡されるので、確実にロック状態を維持することができる。
【００６１】
また、誘導性負荷への電圧供給を停止した際には、誘導性負荷に蓄積された電流エネルギーは第３の電界効果トランジスタ、及び第２の電界効果トランジスタを介して放出されるので、電力損失を低減することができる。
【００６２】
更に、第３の電界効果トランジスタは、逆方向の電圧が印加された際には、オフとなるので、誤って電源の極性を反対に接続した場合であっても、逆電流が流れることを阻止することができ、回路を確実に保護することができる。
【００６３】
また、誘導性負荷として、トランクオープナ用モータを用いる場合には、振動等によりトランクが解錠されるというトラブルの発生を防止することができる。
【図面の簡単な説明】
【図１】本発明の第１の実施形態に係る車両用電力制御装置の概略構成を示す回路図である。
【図２】本発明の第１の実施形態に係る車両用電力制御装置の詳細な構成を示す回路図である。
【図３】第１の実施形態に係る車両用電力制御装置の動作を示すタイミングチャートである。
【図４】本発明の第２の実施形態に係る車両用電力制御装置の概略構成を示す回路図である。
【図５】本発明の第２の実施形態に係る車両用電力制御装置の詳細な構成を示す回路図である。
【図６】本発明の第３の実施形態に係る車両用電力制御装置の概略構成を示す回路図である。
【図７】本発明の第３の実施形態に係る車両用電力制御装置の詳細な構成を示す回路図である。
【図８】従来例を示す回路図である。
【符号の説明】
１，２１，３１  車両用電力制御装置
２  ゲート制御回路（制御手段）
３  コントローラ
ＭＯＳ−ＦＥＴ１１（第１の電界効果トランジスタ）
ＭＯＳ−ＦＥＴ１２（第２の電界効果トランジスタ）
ＭＯＳ−ＦＥＴ１３（第３の電界効果トランジスタ）
Ｌ１  モータ負荷（誘導性負荷）
【図１】
2004148869.tif 000003
【図２】
2004148869.tif 000004
【図３】
2004148869.tif 000005
【図４】
2004148869.tif 000006
【図５】
2004148869.tif 000007
【図６】
2004148869.tif 000008
【図７】
2004148869.tif 000009
【図８】
2004148869.tif 000010